(57)【要約】      （修正有）【課題】ノズルとフォルダとの間を良好にシールし、取付け取外しが容易であって、バネなどの固定具を用いることなくメッシュを固定する充填ノズルの提供。【解決手段】液体を容器に定量ずつ充填する液体定量充填装置の充填ノズルであって、ノズル本体から液体を吐出する吐出口に配設される板状のメッシュ４１ａ、ｂ、ｃと、メッシュ４１ａ、ｂ、ｃを収容して固定しノズル本体の下端に着脱自在に取付けられるノズル先端部１４とからなり、ノズル先端部１４は、ノズル本体の下端を収容する上部開口と、ノズル本体とバヨネットによって係合する係合溝と、下端に形成された吐出口と、メッシュの落下を防止する係合段１４ａとを有し、メッシュ４１ａ、ｂ、ｃは、周縁部５０ａ、ｂ、ｃで上方に盛り上がって弾性材シール４５ａ、ｂ、ｃに埋め込まれ、メッシュ取付け前の外周端面４５Ａ、Ｂ、Ｃが上にいくに従って張出している。【選択図】図１
2012136242.tif 000002
【特許請求の範囲】
【請求項１】
液体を容器に定量ずつ充填する液体定量充填装置が容器に液体を吐出する位置に配設される充填ノズルであって、
ノズル本体と、該ノズル本体から液体を吐出する吐出口に配設される板状のメッシュと、該吐出口に臨む底部に該メッシュを収容して固定し該ノズル本体の下端に着脱自在に取付けられるノズル先端部とからなり、
該ノズル先端部は、該ノズル本体の下端を収容する上部開口と、該ノズル本体とバヨネットによって係合する係合溝と、下端に形成された吐出口と、該吐出口からメッシュの落下を防止する係合段とを有し、
該メッシュは、その周縁部で上方に盛り上がって弾性材シールを備え、
該弾性材シールには、該メッシュの周縁部が埋め込まれ、メッシュ取付け前の外周端面が上にいくに従って張出している、
ことを特徴とする充填ノズル。
【発明の詳細な説明】
【技術分野】
【０００１】
本発明は、流動性食品などの液体を容器に定量ずつ充填する液体定量充填装置に用いられる充填ノズルに関する。
【背景技術】
【０００２】
柔軟性に富んだ紙製包装材料は多年にわたって液体食品を包装するために用いられてきた。牛乳、ジュース、清酒、焼酎、ミネラルウォーター及びその他飲料のための図４（Ｂ）に示すような包装容器１５は、その空容器（図４（Ａ））に液体を定量ずつ充填する液体定量充填装置を用いて得られる。
【０００３】
液体定量充填装置の充填ノズルでは、下端開口縁部内面に環状の上向き受け面および下向き押え面が所定間隔をおいて向き合うように設けられている垂直筒状ノズル本体と、受け面および押え面の間に周縁部を介在させるように多段に配されかつノズル本体内の液体の表面張力によって同液体の自重による流下を防止する複数のステンレスの多孔板（メッシュ）と、隣接する多孔板（メッシュ）の周縁部間に介在させられている環状スペーサとを備えており、多孔板（メッシュ）の孔が、多孔板（メッシュ）の周縁部を含めた全体に散在するようにあけられている。（特許文献１参照）
また、垂直筒状ノズル本体の下端開口に、液体の重力による流下を、液体の表面張力により防止する複数の多孔板（メッシュ）を多段に配置し、隣接する多孔板（メッシュ）の周縁部間にステンレスの環状スペーサを介在させ、多孔板（メッシュ）の周縁部に、これの全周にわたってのびた環状の孔無し部を設ける。（特許文献２参照）
【０００４】
ステンレスのフォルダがメッシュをノズル内に保持する。このフォルダが、バネ特性の棒状材を閉ループにした立体形状を有し、ノズルに着脱する場合はバネ特性によりフォルダ外形が縮小し、ノズルへの着脱が容易にできる。この立体形状は、棒状材を菱形に閉ループに形成し、相対する頂点を結ぶ直線を軸にして鋭角に折り曲げて成る立体形状である、又は、棒状材を、相対する２本の平行な直線とそれらを繋ぐ２本の略円弧曲線との閉ループに形成し、前記直線と前記曲線との交点で垂直に折り曲げて成る立体形状である。（特許文献３参照）
【先行技術文献】
【特許文献】
【０００５】
【特許文献１】実開平０４−９７０１０号公報
【特許文献２】特開平０９−９９９１４号公報
【特許文献３】特開２００２−１２２０６号公報
【発明の概要】
【発明が解決しようとする課題】
【０００６】
従来の充填ノズルでは、クリーニングや維持管理のための煩雑な取付け取外し作業、ステンレスの多孔板（メッシュ）の不十分な固定などの不都合がある。
本発明は、上記の必要性、切望に応えるものであり、ノズルとフォルダとの区々な間隙を埋めることができ、その間を良好にシールし、ステンレスのような材料と比べて研磨の必要がなく、溶接などの工程を要せず、安価に入手でき、しかも、クリーニングや維持管理のために簡易に取付け取外しが可能であって、バネなどの固定具を用いることなく多孔板（メッシュ）を十分に固定することができる充填ノズルを提供することを目的とする。
【課題を解決するための手段】
【０００７】
この課題を解決する本発明の充填ノズルは、液体を容器に定量ずつ充填する液体定量充填装置が容器に液体を吐出する位置に配設される充填ノズルであって、
ノズル本体と、ノズル本体から液体を吐出する吐出口に配設される板状のメッシュと、吐出口に臨む底部にメッシュを収容して固定しノズル本体の下端に着脱自在に取付けられるノズル先端部とからなり、
ノズル先端部は、ノズル本体の下端を収容する上部開口と、ノズル本体とバヨネットによって係合する係合溝と、下端に形成された吐出口と、吐出口からメッシュの落下を防止する係合段とを有し、
メッシュは、その周縁部で上方に盛り上がって弾性材シールを備え、
弾性材シールには、メッシュの周縁部が埋め込まれ、メッシュ取付け前の外周端面が上にいくに従って張出している、
ことを特徴とする。
【発明の効果】
【０００８】
上記構成の本発明によれば、以下の作用機能を発揮し、有利な効果が得られる。
本発明の充填ノズルは、液体を容器に定量ずつ充填する液体定量充填装置に配設される。充填ノズルは容器に液体を吐出する位置に配設され、容器の開口から液体食品を容器内に充填する。
充填ノズルは、垂直筒状ノズル本体と、ノズル本体から液体を吐出する吐出口に配設されるメッシュと、吐出口に臨む底部にメッシュを収容して固定しノズル本体の下端に着脱自在に取付けられるノズル先端部とからなる。
【０００９】
液体は、ノズル本体の筒内部を降下して通過し、ノズル本体の下端吐出口から吐出する。メッシュが吐出口に配設されている。このメッシュが、定量ずつ容器に充填する為に、液体の重力による流下を液体の表面張力により防止する。
ノズル先端部は、吐出口に臨む底部にメッシュを収容して固定しノズル本体の下端に着脱自在に取付ける。ノズル先端部を着脱することで、充填ノズルの中で最もクリーニングや維持管理が必要なメッシュを容易に簡易に取り外し取付けることができる。
【００１０】
ノズル先端部は、ノズル本体の下端を収容する上部開口と、ノズル本体とバヨネットによって係合する係合溝と、下端に形成された吐出口と、吐出口からメッシュの落下を防止する係合段とを有する。
ノズル本体から流れてきた液体食品は、ノズル先端部の上部開口から流入し、下端に形成された吐出口より出る。ノズル先端部は、上部開口でノズル本体下端を収容し、ノズル本体とバヨネット方式によって係合溝と係合する。
ここでバヨネットは、２〜４箇所の爪部分と溝がノズル本体とノズル先端部につけられており、ノズル先端部を差し込み爪と溝とを嵌合させ、そのままひねる事で装着が可能となる。
【００１１】
ノズル先端部は、吐出口に臨む底部にメッシュを収容する。メッシュは、ノズル先端部の係合段と引っ掛かって落下防止される。下から係合段で支えられるメッシュは、更に、弾性材シールによって固定される。
弾性材シールの材料は、食品用であって、弾性を有し、メッシュの周縁部を埋め込むことができるものであり、例えば、ゴム（シリコンを含む）である。
【００１２】
本発明の充填ノズルのメッシュは、その周縁部で上方に盛り上がって弾性材シールを備え、弾性材シールには、メッシュの周縁部が埋め込まれ、メッシュ取付け前の外周端面が上にいくに従って張出している。
メッシュの周縁部及び弾性材シールの外周端面において、上記の構成を有するので、メッシュ取付け後に、弾性材シールの外周端面の上部がノズルの内側面により変形圧縮されその反発力からノズルの内側面に強く密着して良好にシールし、区々な間隙があってもそれを補うことができる。また、弾性材シールの外周端面とノズルの内側面との間に取付け前に隙間があってもこれを補うことができる。
【００１３】
上述のように、ノズルとフォルダとの区々な間隙を埋めることができ、その間を良好にシールし、ステンレスのような材料と比べて研磨の必要がなく、溶接などの工程を要せず、安価に入手でき、しかも、クリーニングや維持管理のために簡易な取付け取外しが可能であって、バネなどの固定具を用いることなく多孔板（メッシュ）を十分に固定することができる。
【図面の簡単な説明】
【００１４】
【図１】この発明による充填ノズル実施例のメッシュの概略断面図である。
【図２】この発明による充填ノズル実施例であって、ノズル先端部にメッシュを装着してシールした様子と取付け前の弾性材シールの形状を示す部分断面図である。
【図３】ノズル先端部からメッシュを取外した分解斜視図である。
【図４】充填前の包装容器例（Ａ）及び、充填封止後の包装容器例（Ｂ）の斜視図である。
【図５】充填ノズルが配設された液体定量充填装置を示す斜視断面図である。
【発明を実施するための形態】
【００１５】
以下、本発明の実施の形態について図面を参照しながら詳細に説明する。
図５は、液体定量充填装置の参考例を概略的に示す。
この液体定量充填装置は、液体食品を収容するタンク１１、タンク１１内の液体食品を計量する往復動型の計量用ポンプ１２、計量用ポンプ１２に接続された充填ノズル１３及び、ノズル先端部１４からなる。タンク１１内の液体食品は、計量用ポンプ１２によって定量ずつ計量され、充填ノズル１３及び、ノズル先端部１４を介して上端が開口されたカートン（容器）１５に充填される。
液体定量充填装置例は、コンベヤ上の容器の搬送経路上方に配置される。
【００１６】
液体食品は、計量用ポンプ１２を駆動してタンク１１から液体食品を吸い込む吸込モード、及び吸い込んだ液体食品を充填ノズル１３に送り出す送出しモードによって計量され、充填される。なお、図は吸込モードの状態を示し、液体食品は矢印方向に送り出される。
タンク１１の底部には吐出開口が形成され、タンク１１内は吐出開口及び吸込弁１９を介して計量用ポンプ１２の計量スペースと連通する。吐出開口の下方に弁本体２２が取り付けられ、弁本体２２の下方に弁ハウジング２３が取り付けられる。弁ハウジング２３の下方に充填ノズル１３及びノズル先端部１４が取り付けられる。
【００１７】
図１〜図３を参照して、本発明による充填ノズルの実施例を概略的に説明する。
充填ノズル１３は、液体を容器に定量ずつ充填する液体定量充填装置に配設される。充填ノズル１３は容器１５に液体を吐出する位置に配設され、容器１５の開口から液体食品を容器内に充填する。
充填ノズル１３は、垂直筒状ノズル本体１３と、ノズル本体から液体を吐出する吐出口に配設されるメッシュ４１と、吐出口に臨む底部にメッシュを収容して固定しノズル本体の下端に着脱自在に取付けられるノズル先端部１４とからなる。
【００１８】
液体は、ノズル本体１３の筒内部を降下して通過し、ノズル本体の下端吐出口４４から吐出する。メッシュが吐出口に配設されている。このメッシュが、定量ずつ容器に充填する為に、液体の重力による流下を液体の表面張力により防止する。
ノズル先端部は、吐出口４４に臨む底部にメッシュ４１を収容して固定しノズル本体の下端１３ａに着脱自在に取付ける。ノズル先端部１４を着脱することで、充填ノズルの中で最もクリーニングや維持管理が必要なメッシュ４１を容易に簡易に取り外し取付けることができる。
【００１９】
ノズル先端部１４は、ノズル本体の下端１３ａを収容する上部開口４３と、ノズル本体１３とバヨネットによって係合する係合溝４２と、下端に形成された吐出口４４と、吐出口４４からメッシュの落下を防止する係合段１４ａとを有する。
ノズル本体１３から流れてきた液体食品は、ノズル先端部の上部開口４３から流入し、下端に形成された吐出口４４より出る。ノズル先端部１４は、上部開口４３でノズル本体下端１３ａを収容し、ノズル本体１３とバヨネット方式によって係合溝４２と係合する。
ここでバヨネットは、２〜４箇所の爪部分と溝がノズル本体１３とノズル先端部１４につけられており、ノズル先端部を差し込み爪と溝とを嵌合させ、そのままひねる事で装着が可能となる。
【００２０】
実施例の充填ノズルのノズル先端部１４は、吐出口４４に臨む底部に３枚のメッシュ４１ａ、４１ｂ、４１ｃを収容する。メッシュ４１は、ノズル先端部１４の係合段１４ａと引っ掛かって落下防止される。下から係合段で支えられるメッシュは、更に、弾性材シールによって固定される。
弾性材シールの材料は、食品用であって、弾性を有し、メッシュの周縁部を埋め込むことができるものであり、例えば、有毒、有害な物質、及びその恐れのある物を含んでいないゴム（シリコンを含む）であり、具体的には、エチレンプロピレンゴム（ＥＰＤＭ）であり、エチレンとプロピレンの共重合体、又は、第３成分としてジエン系モノマーを付加した三元共重合体である。
【００２１】
この形態の充填ノズルのメッシュ４１は、図２に示すように、その周縁部５０ａ、５０ｂ、５０ｃで上方に盛り上がっている。
その周縁部５０ａ、５０ｂ、５０ｃには、弾性材シール４５ａ、４５ｂ、４５ｃを備え、弾性材シール４５ａ、４５ｂ、４５ｃには、メッシュの周縁部５０ａ、５０ｂ、５０ｃが埋め込まれている。
図２の取付け前の弾性材シールの形状（斜め斜線）に示すように、メッシュ取付け前の外周端面４５Ａ、４５Ｂ、４５Ｃが上にいくに従って張出している。
メッシュの周縁部及び弾性材シールの外周端面において、上記の構成を有するので、メッシュ取付け後に、弾性材シールの外周端面の上部がノズルの内側面により変形圧縮されその反発力からノズルの内側面に強く密着して良好にシールし、区々な間隙があってもそれを補うことができる。また、弾性材シールの外周端面とノズルの内側面との間に取付け前に隙間があってもこれを補うことができる。
【００２２】
上述のように、この形態によって、ノズルとフォルダとの区々な間隙を埋めることができ、その間を良好にシールし、ステンレスのような材料と比べて研磨の必要がなく、溶接などの工程を要せず、安価に入手でき、しかも、クリーニングや維持管理のために簡易な取付け取外しが可能であって、バネなどの固定具を用いることなく多孔板（メッシュ）を十分に固定することができる。
【００２３】
なお、本発明は前記実施の形態に限定されるものではなく、本発明の趣旨に基づいて種々変形させることが可能であり、それらを本発明の範囲から排除するものではない。
【産業上の利用可能性】
【００２４】
この発明は、液体食品の包装充填の製造に適用することができる。
【符号の説明】
【００２５】
１１  ・・  タンク
１２  ・・  計量用ポンプ
１３  ・・  充填ノズル
１４  ・・  ノズル先端部
１４ａ・・  係合段
４１  ・・  メッシュ
４２  ・・  係合溝
４５  ・・  弾性材シール
【図１】
2012136242.tif 000003
【図２】
2012136242.tif 000004
【図３】
2012136242.tif 000005
【図４】
2012136242.tif 000006
【図５】
2012136242.tif 000007